(57)【特許請求の範囲】
【請求項１】
内部に作動油を貯蔵した油タンク上に、電動機及びこの電動機により回転駆動されて油タンクの貯蔵作動油を吸入吐出する油圧ポンプを載置して設け、油圧ポンプには吐出した作動油を制御して外部負荷に供給したり外部負荷から排出された作動油を制御して油タンク内に還流したりする制御弁を接続して設け、外部負荷に供給する作動油及び外部負荷から排出される作動油の脈流を減少する油圧マフラーを筒状に構成して緩衝部材を介し油タンクの上板に可動自在に垂設して取付け、油圧マフラーを第１給排管により制御弁に接続して支持し、制御弁で制御した作動油を油タンク内に還流するよう制御弁に接続して油タンク内の貯蔵作動油に一端開口を浸漬して配置する戻り管を設け、戻り管が油圧マフラーを密封貫通して設け、油圧マフラーを戻り管に固着して制御弁で支持したことを特徴とする油圧ユニツト。
【発明の詳細な説明】
【０００１】
【産業上の利用分野】
本発明は、電動機により回転駆動される油圧ポンプで油タンク内の貯蔵作動油を吸入吐出して油圧マフラーで作動油の脈流を減少して外部負荷に供給したり外部負荷から排出される作動油を油圧マフラーで脈流を減少して油タンク内に還流したりする油圧ユニツトに関し、特に住宅用油圧エレベータの駆動源として好適な油圧ユニツトである。
【０００２】
【従来の技術】
この種の油圧ユニツトとして、出願人の出願にかかる特願平５−１５４１２４号の如き図４に示すものがある。このものは、電動機２３により油圧ポンプ２４を回転駆動して油タンク２５内の貯蔵作動油を吸入吐出する。そして、油圧ポンプ２４より吐出した作動油は制御弁２６で制御され油圧マフラー２７で脈流を減少して第２給排管２８を流れて図示しない外部負荷としての単動型油圧シリンダに供給されて住宅用油圧エレベータを上昇作動するよう設けている。また、油圧ポンプ２４を停止して、住宅用油圧エレベータの自重により単動型油圧シリンダから排出される作動油を第２給排管２８を流し油圧マフラー２７で脈流を減少し、制御弁２６で制御して戻り管２９より油タンク２５内に還流して住宅用油圧エレベータを下降作動するよう設けている。
【０００３】
【発明が解決しようとする課題】
ところが、かかる構成の油圧ユニツトでは、油圧マフラー２７の上端を構成する板状のフランジ部材３０を油タンク２５の載置部３１に載置して複数のボルト部材３２により着脱自在に固定して設けているため、作動油の導入によりその脈流に起因して発生する油圧マフラー２７の振動が油タンク２５に伝播されて共振によって作動騒音が高くなる問題点があった。
本発明は、かかる問題点を解決するもので、油圧マフラーから油タンクへの振動の伝播を減少して、低騒音化を図るようにした油圧ユニツトを提供するものである。
【０００４】
【課題を解決するための手段】
このため、本発明は、内部に作動油を貯蔵した油タンク上に、電動機及びこの電動機により回転駆動されて油タンクの貯蔵作動油を吸入吐出する油圧ポンプを載置して設け、油圧ポンプには吐出した作動油を制御して外部負荷に供給したり外部負荷から排出された作動油を制御して油タンク内に還流したりする制御弁を接続して設け、外部負荷に供給する作動油及び外部負荷から排出される作動油の脈流を減少する油圧マフラーを筒状に構成して緩衝部材を介し油タンクの上板に可動自在に垂設して取付け、油圧マフラーを第１給排管により制御弁に接続して支持し、制御弁で制御した作動油を油タンク内に還流するよう制御弁に接続して油タンク内の貯蔵作動油に一端開口を浸漬して配置する戻り管を設け、戻り管が油圧マフラーを密封貫通して設け、油圧マフラーを戻り管に固着して制御弁で支持して成る。
【０００５】
【作用】
かかる本発明の構成において、油圧マフラーには作動油の導入によりその作動油の脈流に起因して振動が発生するが、この振動は緩衝部材で吸収されて油タンクへの伝播を減少する。このため、油圧ユニツトの低騒音化を良好に図ることができる。
【０００６】
【実施例】
以下、本発明の一実施例を図面に基づいて説明する。
図１ないし図３において、１は油タンクで、上方を開口して内部に作動油を貯蔵可能に略四方形に形成している。２は油タンク１の上板で、油タンク１の上部開口を閉塞するよう油タンク１に着脱資材に固定して設けている。３は電動機で、油タンク１の上板２上に防振ゴムから成る４個の緩衝部材４を介して載置し着脱自在に固定して設けている。５は電動機３に一体的に連結した油圧ポンプで、電動機３により回転駆動されて油タンク１の貯蔵作動油を吸入管６より吸入して吐出するよう設けている。吸入管６は油圧ポンプ５に接続し油タンク１の上板２を挿通してストレーナ６Ａを有した一端側を貯蔵作動油に浸漬して設けている。
【０００７】
７は油圧ポンプ５の吐出側に接続した制御弁で、油圧ポンプ５より吐出した作動油を制御して図示しない外部負荷としての住宅用油圧エレベータの単動型油圧シリンダに供給したりこの単動型油圧シリンダから排出された作動油を制御して油タンク１内に還流したりするよう設けている。８は単動型油圧シリンダに供給する作動油及び単動型油圧シリンダから排出される作動油の脈流を減少する油圧マフラーで、第１給排管９を介して制御弁７に接続すると共に、第２給排管１０を介して単動型油圧シリンダに接続して設けている。そして、油圧マフラー８は円筒部材１１の上端に長方形で板状のフランジ部材１２を溶接固着すると共に、円筒部材１１の下端に円板状の底板部材１３を溶接固着した筒状に構成して成り、油タンク１の上板２の電動機３を載置した残余部分にフランジ部材１２を露呈して４個の緩衝部材１４を介し垂設して取付け、４個のナツト部材１５により着脱自在に固定している。これにより、油圧マフラー８は円筒部材１１、底板部材１３を上板２に貫設の挿通孔２Ｂを遊嵌して下端を貯蔵作動油に浸漬して油タンク１内に配置され、上板２に対して可動自在になっている。また、第１給排管９と第２給排管１０は油圧マフラー８のフランジ部材１２にその中心を介した対称位置にそれぞれ接続して油圧マフラー８を介して相互に連通している。
【０００８】
４個の緩衝部材１４はそれぞれ油圧マフラー８のフランジ部材１２の四隅に配置され、図３に詳細に示す如き、円柱状の防振ゴム１４Ａの上下端にそれぞれ円板状の鋼板１６Ａ、１６Ｂを焼付けにより固着し、各鋼板１６Ａ、１６Ｂにそれぞれボルト部材１７Ａ、１７Ｂを溶接により突設固着して構成している。そして、各緩衝部材１４はボルト部材１７Ｂを上板２に貫設のねじ孔２Ａに螺着すると共に、ボルト部材１７Ａを油圧マフラー８のフランジ部材１２に貫設の挿通孔１２Ａを挿通してナツト部材１５を螺着して、これにより油圧マフラー８を着脱自在に固定して設けている。１８はボルト部材１７Ｂに挿通して鋼板１６Ｂと上板２間に挾持したワツシヤ部材で、ボルト部材１７Ｂの根元部分に存在する不完全ねじ部がねじ孔２Ａ内に位置しないよう設けている。１９はボルト部材１７Ａに挿通してフランジ部材１２とナツト部材１５間に挾持したワツシヤ部材で、油圧マフラー８への作動油の導入により発生する振動でボルト部材１７Ａに螺着したナツト部材１５が緩まないようナツト部材１５に張力を付与して設けている。
【０００９】
２０は単動型油圧シリンダから排出されて制御弁７で制御した作動油を油タンク１内に還流する戻り管で、制御弁７に接続し、油圧マフラー８の上端のフランジ部材１２より円筒部材１１内を挿通して底板部材１３を密封貫通して油タンク１内の貯蔵作動油に一端開口を浸漬して配置している。そして、戻り管２０は油圧マフラー８のフランジ部材１２に第１給排管９の接続位置と第２給排管１０の接続位置との中間で中心より偏心した位置に密封貫通し、フランジ部材１２と底板部材１３とに溶接固着して設けている。２１は油タンク１及び電動機３、油圧ポンプ５、制御弁７、油圧マフラー８を覆う略四方形に形成の覆部材で、油タンク１の側板１Ａ、１Ｂと直交して相互に対向する２個の側板１Ｃ、１Ｄを、側板１Ａ、１Ｂより外方に突出形成すると共に、上板２より上方に延在して設け、側板１Ｃ、１Ｄの突出形成した突出端にそれぞれ側板１Ｃ、１Ｄと同じ高さの側板２１Ａ、２１Ｂを着脱自在に固定し、側板１Ｃ、１Ｄ、側板２１Ａ、２１Ｂで囲った上方開口を上板２１Ｃで閉塞して設けている。そして、油タンク１の側板一Ａ、１Ｂ外面と覆部材２１の側板２１Ａ、２１Ｂ内面間にはそれぞれ隙間２２Ａ、２２Ｂが形成され、この隙間２２Ａ、２２Ｂを埋めるよう側板２１Ａ、２１Ｂ内面には図示しないが通気性を有する伸縮可能な軟質ウレタンフオームから成る吸音材を接着して設けている。
【００１０】
次に、かかる構成の作動を説明する。
電動機３により油圧ポンプ５を回転駆動すると、油圧ポンプ５は油タンク１の貯蔵作動油を吸入管６より吸入して吐出する。油圧ポンプ５より吐出した作動油は制御弁７で制御され第１給排管９を流れ油圧マフラー８で脈流を減少し第２給排管１０を流れ単動型油圧シリンダに供給されて住宅用油圧エレベータを上昇作動する。
【００１１】
また、油圧ポンプ５を停止して、住宅用油圧エレベータの自重により単動型油圧シリンダから排出される作動油を第２給排管１０を流し油圧マフラー８で脈流を減少し、第１給排管９を流し制御弁７で制御して戻り管２０を流して油タンク１内に還流して住宅用油圧エレベータを下降作動する。
【００１２】
かかる作動で、油圧マフラー８には作動油の導入によりその作動油の脈流に起因して振動が発生するが、この振動は緩衝部材１４で吸収されて油タンク１の上板２への伝播を減少するため、油タンク１の共振が軽減されて油圧ユニツトの低騒音化を良好に図ることができる。そして、油圧マフラー８を油タンク１の上板２に垂設して取付けているため、緩衝部材１４に作用するせん断力を小さくできて緩衝部材１４の耐久性を向上できる。また、電動機３及び油圧ポンプ５の作動により発生する振動は緩衝部材４で吸収されて油タンク１への伝播を減少し、さらに作動騒音は油タンク１及び電動機３、油圧ポンプ５、制御弁７、油圧マフラー８を覆う覆部材２１で遮へいされ隙間２２Ａ、２２Ｂを埋めるよう設けた吸音材で吸音され、一層の低騒音化を図ることができる。また、油圧マフラー８は制御弁７に接続した第１給排管９、戻り管２０で支持することができるから、油圧マフラー８の緩衝部材１４への荷重を軽減でき、かかる緩衝部材１４は小形状のもので対応できる。さらにまた、油圧マフラー８の下端を油タンク１の貯蔵作動油に浸漬しているため、貯蔵作動油の抵抗によって油圧マフラー８の脈動を減少でき、油圧ユニツトのより一層の低騒音化を図ることができる。
【００１３】
尚、一実施例では、緩衝部材１４を防振ゴム１４Ａから構成したが、防振ゴム１４Ａに代えてばね部材から構成しても良く、さらに複数の緩衝部材１４に代えて油圧マフラー８を上端のフランジ部材１２を残して挿通するリング状で単一の緩衝部材にしても良く、また油圧ポンプ５を一体的に連結した電動機３を油タンク１の上板２上に載置したが、油圧ポンプと電動機とをそれぞれ載置するようにしても良いことは勿論である。
【００１４】
【発明の効果】
このように、本発明は、内部に作動油を貯蔵した油タンク上に、電動機及びこの電動機により回転駆動されて油タンクの貯蔵作動油を吸入吐出する油圧ポンプを載置して設け、油圧ポンプには吐出した作動油を制御して外部負荷に供給したり外部負荷から排出された作動油を制御して油タンク内に還流したりする制御弁を接続して設け、外部負荷に供給する作動油及び外部負荷から排出される作動油の脈流を減少する油圧マフラーを筒状に構成して緩衝部材を介し油タンクの上板に可動自在に垂設して取付け、油圧マフラーを第１給排管により制御弁に接続して支持し、制御弁で制御した作動油を油タンク内に還流するよう制御弁に接続して油タンク内の貯蔵作動油に一端開口を浸漬して配置する戻り管を設け、戻り管が油圧マフラーを密封貫通して設け、油圧マフラーを戻り管に固着して制御弁で支持し、油圧マフラーの振動が油タンクへ伝播することを減少したことにより、油圧ユニツトの低騒音化を良好に図ることができ、また振動を吸収する緩衝部材に作用するせん断力を小さくできて緩衝部材の耐久性を向上することができる。また、油圧マフラーは制御弁に接続した第１給排管、戻り管で支持することができるから、油圧マフラーの緩衝部材への荷重を軽減でき、かかる緩衝部材は小形状のもので対応できる。
【図面の簡単な説明】
【図１】本発明の一実施例を示し、側板１Ｂを取外した状態の図２の線Ｂ−Ｂに沿った油圧ユニツトの断面図である。
【図２】図１の線Ａ−Ａに沿った断面図である。
【図３】図２の線Ｃ−Ｃに沿った拡大断面図である。
【図４】従来例を示した油圧ユニツトの縦断面図である。
【符号の説明】
１油タンク
３電動機
５油圧ポンプ
７制御弁
８油圧マフラー
１４緩衝部材
【図１】
0003549571.tif 000002
【図２】
0003549571.tif 000003
【図３】
0003549571.tif 000004
【図４】
0003549571.tif 000005